(57)【要約】【課題】自分で気軽にテレビ番組に挿入放送できる広告を制作でき、低コストで広告を制作でき、大した設備体積と費用を要しない、広告をテレビ番組に挿入するための装置及び方法を提供する。【解決手段】デジタルカメラやデジタル撮影装置やコンピュータや他の映像（画像）音声装置などの手段と本発明の装置によって撮影及び製作した映像（画像）や音声やグラフィックや文字などの情報を情報記憶ユニットに記憶し、また、当該情報記憶ユニットより記憶された映像（画像）や音声及びグラフィック文字の情報を取り出すと共に、映像及びグラフィック処理ユニットによって情報を混合または積み重ね、映像及び音声入力ユニットの入力するテレビ番組に導入し、当該映像放送を融合する方式には、情報記憶ユニットの映像（画像）とテレビ番組の映像とを混合して放送する方式と、親子画面の積み重ねる方式によって放送する方式とテレビ番組に広告字幕を導入する方式などの方式を有することを特徴とする、テレビ広告の内容を制作すると共に、広告をテレビ番組に挿入する。【選択図】  図２
2004208083.tif 000002
【特許請求の範囲】
【請求項１】
デジタルカメラやデジタル撮影装置やコンピュータや他の映像（画像）音声装置などの手段と本発明の装置によって撮影及び製作した映像（画像）や音声やグラフィックや文字などの情報を情報記憶ユニットに記憶し、また、当該情報記憶ユニットより記憶された映像（画像）と音声及びグラフィック文字の情報を取り出すと共に、映像及びグラフィック処理ユニットによって情報を混合または積み重ね、映像及び音声入力ユニットの入力するテレビ番組に導入し、当該映像放送を融合する方式には、情報記憶ユニットの映像（画像）とテレビ番組の映像とを混合して放送する方式と、親子画面の積み重ねる方式によって放送する方式と、テレビ番組に広告字幕を導入する方式などの方式を有することを特徴とする、テレビ広告の内容を制作すると共に、広告をテレビ番組に挿入するための方法。
【請求項２】
受信した映像と音声のアナログ信号をデジタル信号に転換するための映像及び音声入力ユニットと、
グラフィックを描くことができると共に、映像（画像）とグラフィックを混合または積み重ねられ、それら情報記憶ユニットの映像（画像）と映像及び音声入力ユニットの入力するテレビ番組の映像に融合でき、且つテレビ番組に字幕を生成することもできる映像及びグラフィック処理ユニットと、
デジタル映像及び音声信号をアナログ信号に転換するための映像及び音声出力ユニットと、
映像（画像）及びグラフィックの情報を記憶する情報記憶ユニットと、
情報記憶ユニット内の情報の読み取り及び書き込みのアドレスと時間と情報のパッケージングフォーマットを制御する情報読み取り／書き込み制御ユニットと、
映像（画像）及び音声信号を圧縮または伸張する映像及び音声圧縮／伸張ユニットと、
映像及び音声放送と映像及び音声レコーディングとシステム設定の操作モードにおいて前記それぞれの項のユニットの作動を制御できるシステム制御ユニットと、
ユーザーが前記システム制御ユニットを指揮するためのユーザーインターフェースユニットとを有し、
ユーザーが予めデジタルカメラやデジタル撮影装置で撮影した映像（画像）及び音声情報を前記情報記憶ユニットに記憶し、またはコンピュータによって制作される映像（画像）及び音声とグラフィックの情報を前記情報記憶ユニットに記憶し、また、一般の映像音声装置によってアナログの映像及び音声信号を映像及び音声信号入力ユニットに入力し、当該信号をデジタル信号に転換してから、映像及び音声信号圧縮／伸張ユニットに送信し、当該信号を圧縮し、その後に情報読み取り／書き込み制御ユニットによって信号を情報記憶ユニットに書き込んで記憶し、放送時、ユーザーが情報読み取り／書き込み制御ユニットを介して情報記憶ユニットに記憶される映像及び音声情報を読み取り、映像及び音声信号圧縮／伸張ユニットによって信号に対し伸張を実行後に信号を映像及びグラフィック処理ユニットに送信し、この時、前記映像及びグラフィック処理ユニットが同時に映像及び音声信号入力ユニットよりのテレビ番組の映像及び音声信号を受信し、映像及びグラフィック処理ユニットによって二種類の信号を混合しまたは積み重ね、また、映像及び音声出力ユニットを介して当該信号をアナログ信号に転換してからテレビに送信して放送を実行することを特徴とする、テレビ広告の内容を制作すると共に、広告をテレビ番組に挿入するための装置。
【請求項３】
受信した映像及び音声のアナログ信号をデジタル信号に転換するための映像及び音声入力ユニットと、
グラフィックを描けると共に、映像（画像）とグラフィックとを混合または積み重ねられ、それら情報記憶ユニットの映像（画像）と映像および音声入力ユニットの入力するテレビ番組の映像に融合でき、且つテレビ番組に字幕を生成することもできる映像及びグラフィック処理ユニットと、
デジタル映像及び音声信号をアナログ信号に転換するための映像及び音声出力ユニットと、
映像（画像）及び音声とグラフィックの情報を記憶する情報記憶ユニットと、
情報記憶ユニット内の情報の読み取りまたは書き込みのアドレスと時間と情報のパッケージングフォーマットを制御するための情報読み取り／書き込み制御ユニットと、
映像及び音声を放送する場合や映像及び音声をレコーディングする場合やシステム設定の操作モードの下などで前記それぞれの項のユニットの動作を制御できるシステム制御ユニットと、
ユーザーがシステム制御ユニットを指揮するためのユーザーインターフェースユニットとを有し、
ユーザーが予めデジタルカメラまたはデジタル撮影装置で撮影した映像（画像）及び音声を情報記憶ユニットに記憶し、またはコンピュータによって製作した映像（画像）及び音声とグラフィックの情報を情報記憶ユニットに記憶し、または一般の映像および音声手段によってアナログの映像及び音声信号を映像及び音声信号入力ユニットに入力し、当該信号をデジタル信号に転換してから情報読み取り／書き込み制御ユニットを介して信号を情報記憶ユニットに書き込んで記憶し、放送時、ユーザーが情報読み取り／書き込み制御ユニットを介して前記情報記憶ユニットに記憶される映像および音声情報を読み取り、また映像及び音声情報を映像及びグラフィック処理ユニットに送信し、この時、前記映像及びグラフィック処理ユニットが同時に映像及び音声信号入力ユニットよりのテレビ番組の映像及び音声信号を受信すると共に、映像及びグラフィック処理ユニットによって二種類の信号または情報を混合しまたは積み重ねる後に、映像及び音声出力ユニットを介して信号をアナログ信号になるように転換してからテレビに送信して放送を実行することを特徴とする、テレビ広告の内容を制作すると共に、広告をテレビ番組に挿入するための装置。
【請求項４】
前記映像及び音声信号入力ユニットには映像デコーダーと音声アナログ／デジタルコンバータとを含み、前記映像デコーダーはアナログの映像信号をデジタルの映像信号に転換でき、且つ前記音声アナログ／デジタルコンバータはアナログの音声信号をデジタルの音声信号に転換できることを特徴とする、請求項２または３に記載のテレビ広告の内容を制作すると共に、広告をテレビ番組に挿入するための装置。
【請求項５】
前記映像及びグラフィック処理ユニットとして映像及びグラフィックプロセッサーを使用でき、当該映像及びグラフィックプロセッサーには、主に、
映像及びグラフィック処理ユニットが映像とグラフィックを描く過程中に生成されるデータを一時記憶する映像／グラフィック処理メモリと、
前記データのアクセス時間とアドレスを制御するメモリコントローラと、
映像及び音声入力ユニットと情報記憶ユニットより来る二つの映像を同期になるように形成させることができる、映像同期コントローラと、
映像及びグラフィックの信号の転換を実行できると共に、順次走査のフォーマットを飛越走査のフォーマットなどに転換できる、少なくとも１つの映像及びグラフィックフォーマットコンバータと、
グラフィックを描く機能を有し、多層面の構造を有し、例えば映像と同一の平面に位置することができると共に、映像の背景または前景として映像と並列や積み重ねや混合しあうことができる、グラフィックプロセッサーと、
映像のサイズを比例に従って縮小または拡大できる少なくとも１つの映像縮小／拡大手段と、
テレビ番組に字幕を加入できる字幕表示器と、
映像を積み重ね／混合できる映像及びグラフィック積み重ね／混合器と、
映像及びグラフィック信号の出力インターフェースとする映像及びグラフィック出力器と、
映像及びグラフィック処理ユニットとシステム制御ユニットの間のインターフェースとし、相互にデータとコントロールコマンドを送受信するデータポートとコントロールポートとを有することを特徴とする、請求項２または請求項３に記載のテレビ広告の内容を制作すると共に、広告をテレビ番組に挿入するための装置。
【請求項６】
前記映像及び音声出力ユニットには映像エンコーダーと音声デジタル／アナログコンバータとを含み、前記映像エンコーダーがデジタルの映像信号をアナログの映像信号に転換でき、且つ前記音声デジタル／アナログコンバータがデジタルの音声信号をアナログの音声信号に転換できることを特徴とする、請求項２または請求項３に記載のテレビ広告の内容を制作すると共に、広告をテレビ番組に挿入するための装置。
【請求項７】
前記情報読み取り／書き込み制御ユニットが情報読み取り／書き込みコントローラであり、当該情報読み取り／書き込みコントローラはＩＣメモリカード読み取り／書き込みコントローラや光ディスク読み取り／書き込みコントローラや磁気ディスク読み取り／書き込みコントローラなどであることを特徴とする、請求項２または請求項３に記載のテレビ広告の内容を制作すると共に、広告をテレビ番組に挿入するための装置。
【請求項８】
前記情報記憶ユニットは情報記憶部品であり、当該情報記憶部品はＩＣメモリカードや光ディスクや磁気ディスクなどであることを特徴とする、請求項２または請求項３に記載のテレビ広告の内容を制作すると共に、広告をテレビ番組に挿入するための装置。
【請求項９】
前記映像及び音声圧縮／伸張ユニットには映像（画像）圧縮／伸張装置と音声圧縮／伸張装置とを有し、前記映像圧縮／伸張装置は映像（画像）信号を圧縮または伸張を実行するものであり、前記音声圧縮／伸張装置は音声信号を圧縮または伸張を実行するものであることを特徴とする、請求項２または請求項３に記載のテレビ広告の内容を制作すると共に、広告をテレビ番組に挿入するための装置。
【請求項１０】
前記システム制御ユニットにはシステムコントローラと各種のメモリを有し、前記システムコントローラはシステム機能のコントローラであり、前記メモリはキャッシュメモリとプログラムメモリとデータメモリとを含み、前記キャッシュメモリにはシステムコントローラの仕事時のよく用いる操作インストラクションと運算情報を一時記憶するメモリであり、前記プログラムメモリはシステムの所要するソフトウェアプログラムを記憶し、データメモリはシステムの所要するデータを記憶し、広告の図形文字情報もそこに記憶できることを特徴とする、請求項２または請求項３に記載のテレビ広告の内容を制作すると共に、広告をテレビ番組に挿入するための装置。
【請求項１１】
前記ユーザーインターフェースとしてリモートコントローラやキーボードや手書き入力手段や他の入力手段などを採用でき、ユーザーがこのユーザーインターフェースを介して広告の文字を編集するか広告の図形を描くことができ、且つ広告の放送時間とテレビにおける位置を制御でき、且つ字幕を表示するかを制御でき、且つそれぞれの項の機能を操作できるなどの機能を有することを特徴とする、請求項２または請求項３に記載のテレビ広告の内容を制作すると共に、広告をテレビ番組に挿入するための装置。
【請求項１２】
前記操作モードには、映像及び音声放送モードと映像及び音声レコーディングするモードとシステム設定モードなどを含み、前記映像および音声放送モードは本装置とテレビによってレコーディングされる映像及び音声とグラフィックからなる広告を放送または挿入放送し、また、前記映像及び音声レコーディングモードは本装置によって所要する映像（画像）及び音声の情報をレコーディングすると共に、それらを情報記憶ユニットに記憶し、前記システム設定モードはユーザーに広告の文字を編集させることや広告のグラフィックを描かせることを許容すると共に、予め挿入放送するつもりの広告の映像（画像）及び音声とグラフィックの内容や画面のサイズ及び位置や始発及び終了の時間や繰り返して放送する回数などのパラメータを設定させるモードであることを特徴とする、請求項２または請求項３に記載のテレビ広告の内容を制作すると共に、広告をテレビ番組に挿入するための装置。
【発明の詳細な説明】
【０００１】
【発明の属する技術分野】
本発明は、テレビ広告の内容を制作すると共に、広告をテレビ番組に挿入するための装置及び方法に係わり、特に一般の人々が自分で自己の広告内容を製作できると共に、自分のテレビでテレビにおける番組をオーバーラップして自分の広告を放送できる、テレビ広告の内容を制作すると共に、広告をテレビ番組に挿入するための装置及び方法に関する発明である。
【０００２】
【従来技術】
テレビは娯楽の番組を提供できるほかに、コマーシャル広告を発布できると共に、メッセージをも伝達できる。テレビを介して商品やメッセージなどを伝播するための広告を制作するために、従来の作法は広告会社に依頼して広告を企画・製造させ、それからビデオや光ディスクなどにレコーディングしてクライアントや群衆に対し繰り返して放送することによって広告宣伝の効果を図る。前記のテレビ広告の作法は欠点を有するので、一般の人々に普及して個人でテレビ広告を制作することや、自分のテレビで自分の制作する広告を挿入放送することができない。
【０００３】
他に、従来の広告作法の場合では、パーソナルコンピュータと映像キャッチ装置を利用してテレビ番組の信号を取替え、且つ図形文字情報（広告の内容）をその上に積み重ね、それからこのコンピュータの映像（画像）と図形文字の仕様、例えばビデオグラフィックアレイ（Ｖｉｄｅｏ  Ｇｒａｐｈｉｃｓ  Ａｒｒａｙ／ＶＧＡ）をテレビの映像の仕様例えば（アメリカ）国家テレビ標準委員会（Ｎａｔｉｏｎａｌ  Ｔｅｌｅｖｉｓｉｏｎ  Ｓｔａｎｄａｒｄｓ  Ｃｏｍｍｉｔｔｅ／ＮＴＳＣ）の仕様に転換し、且つテレビへフィードバックして放送する。パーソナルコンピュータが既に普及していると共に、パーソナルコンピュータの映像（画像）及び音声とグラフィックの処理機能がかなり強くなっているが、一般の短く、よく繰り返して放送する広告の場合では、一台のパーソナルコンピュータを占用して放送を実行することが大した浪費となり、経済的ではなくなってしまう。そのため、一般の人々は滅多にパーソナルコンピュータによって広告を制作せず、且つ自己のテレビで自家製の広告やメッセージなどを放送することも滅多にない。
【０００４】
【発明の解決しようとする課題】
従来のテレビ広告番組を放送する作法の欠点について、下記のように帰納する。
１．広告の内容物を他人に依頼して制作してもらうため、自分で広告の内容を修正できず、毎度の制作と修正にもかなり時間と費用がかかり、随時に内容を変更する必要がある広告や宣伝などに適用しない。
２．一般には、かなり高価な経費を出して放送業者や広告経営者に依頼して広告を放送する必要がある。
３．一般の人々は自分で制作できず、且つ高価な費用をかけてテレビ広告を制作する意欲はない。
４．放送業者や広告経営者を介して放送する場合、自由に広告の放送時間を制御できない。
５．広告を放送する時、一般には現有のテレビ番組を中止する必要があり、テレビ番組を有さず、単に広告を放送する作法は観客を吸引しがない。
６．親子画面を有するテレビでないと、同時にテレビ番組（例えば親画面に表示する）と広告（例えば子画面に表示する）を観覧できない。
７．他の単独の字幕生成器を使用しないと、テレビ番組に勝手に字幕を加入できない。
８．少数の特定の対象や区域性の低コストテレビ広告活動などの場合に該当しない。
９．パーソナルコンピュータを利用してテレビ番組に短い広告を挿入すると共に、テレビに送信して放送することが大した浪費となり、経済的ではなくなってしまう。
１０．従来では一体に整合して自分でテレビで放送できる広告を制作できる装置を有さず、操作方法が簡単で機能と価格がすべて大衆化のニーズに該当できる装置はまだ提出されていない。
【０００５】
前記の課題を有する原因は、従来では使用便利で安価な装置を有しないことに帰することができ、そのため、自分でテレビ広告の内容を制作することは滅多になく、且つ自分のテレビでテレビ番組において広告を挿入してメッセージを伝播することも滅多にない。
【０００６】
【発明の目的】
本発明は、ユーザーが容易にテレビ広告の内容（映像音声及びグラフィック文字）を制作できると共に、頻繁に且つ即刻に自分で広告の内容を変更でき、且つ非常に低い経費にて広告を制作できる、テレビ広告の内容を制作すると共に、広告をテレビ番組に挿入するための装置及び方法を提供することをその主要な目的とする。
【０００７】
また、本発明は、放送業者を経由する必要はなく、いずれの時間で自己のテレビで自家製の広告の内容を放送できる、テレビ広告の内容を制作すると共に、広告をテレビ番組に挿入するための装置及び方法を提供することをその次の目的とする。
【０００８】
また、本発明は、ユーザー自家製のテレビ広告を子画面（例えば特価商品の写真）の形式によって親画面（テレビの放送番組）に表示でき、且つ字幕を親画面に表示でき、例えば今日は特価１５％ＯＦＦなどの文字を表示し、観客がテレビ番組を観覧すると同時にユーザーの自家製の広告メッセージを知ることができる、テレビ広告の内容を制作すると共に、広告をテレビ番組に挿入するための装置及び方法を提供することをその他の目的とする。
【０００９】
また、本発明は、業者がテレビ番組によって群衆を吸引できると共に、観客がテレビ番組を観覧する時、本装置がテレビ番組に広告とメッセージを挿入放送する機能を有するため、同時に業者の伝達しようとする広告とメッセージを受け取ることができる、テレビ広告の内容を制作すると共に、広告をテレビ番組に挿入するための装置及び方法を提供することをその他の目的とする。
【００１０】
また、本発明は、商売業者のウインドウやレストランやホテルやクラブや会社や病院や銀行や学校や駅や社会福祉単位などの場所でテレビ広告の内容を制作すると共に、広告をテレビ番組に挿入するための装置及び方法を提供することをその他の目的とする。
【００１１】
また、本発明は、大衆交通運輸ツールのテレビ広告、例えばバスや鉄道や飛行機などにおけるメッセージの伝達や商品の促販や旅行案内などに利用できる、テレビ広告の内容を制作すると共に、広告をテレビ番組に挿入するための装置及び方法を提供することをその他の目的とする。
【００１２】
【課題を解決するための手段】
前記の目的を図れる本発明のテレビ広告の内容を制作すると共に、広告をテレビ番組に挿入するための装置及び方法には、
主にアナログの映像および音声信号をデジタル信号に転換し、例えば複合の映像ベースバンド信号（Ｃｏｍｐｏｓｉｔｅ  Ｖｉｄｅｏ  Ｂａｓｅｂａｎｄ  Ｓｉｇｎａｌ，ＣＶＢＳ）または輝度（Ｌｕｍｉｎａｎｃｅ，Ｙ）及び色彩（Ｃｈｒｏｍｉｎａｎｃｅ，Ｃ）を映像入力信号とし、且つこれらのアナログの映像（音声）信号をデジタルの映像（音声）信号に転換し、例えばデジタルの輝度と青色と赤色（Ｙ，Ｃｂ，Ｃｒ）の色信号など、前記入力される映像及び音声信号がテレビまたはテレビチャネル選択器（ＴＶ  Ｔｕｎｅｒ）または映像磁気テープ録画／再生装置（Ｖｉｄｅｏ  Ｔａｐｅ  Ｒｅｃｏｒｄｅｒ／Ｐｌａｙｅｒ）またはＤＶＤ録画／再生装置（Ｄｉｇｉｔａｌ  Ｖｅｒｓａｔｉｌｅ  Ｄｉｓｃ  Ｒｅｃｏｒｄｅｒ／Ｐｌａｙｅｒ）の映像及び音声出力端子よりのものである、映像及び音声入力ユニットと、
映像（画像）フォーマット転換機能や映像縮小／拡大機能やグラフィック処理機能や映像及びグラフィックの積み重ねまたは混合の機能や字幕生成機能や映像同期などの機能を有し、映像入力ユニットからのテレビ番組映像と情報記憶ユニットからの映像または画像（広告の画面）の画面仕様を比例に従って縮小し、且つ１つを先方に且つ１つを後方に配置し、親子画面の方式によって積み重ねさせ、または２つの縮小されるイメージを並列させ、且つグラフィックを背景とする画面に積み重ねさせ、いずれの方式によって映像とグラフィックを積み重ね、混合しても、すべて字幕表示の機能によって前記合成した画面に字幕を加入できる、映像及びグラフィック処理ユニットと、
映像及びグラフィック処理ユニットからのデジタル映像及び音声信号をアナログの映像及び音声信号に転換すると共に、テレビの映像及び音声入力端子に伝送し、例えばデジタルのＹＣｂＣｒ信号をアナログのＣＶＢＳまたはＹ，Ｃ信号に転換する、映像及び音声出力ユニットと、
圧縮機能によって映像及び音声入力ユニットからの映像（画像）および音声信号を圧縮し、それから情報読み取り／書き込みユニット内の書き込み機能によって圧縮した映像及び音声情報を情報記憶ユニットに書き込み、そのため、前記映像及び音声情報が圧縮される後に少数のメモリだけで記憶できるようになり、また、情報記憶ユニットからの被圧縮の映像および音声情報を伸張でき、且つ前記映像及びグラフィック処理ユニットに送信でき、また、映像及び音声出力ユニットを介してテレビに出力し、材料コストを低減するために、本手段を省略してもよいが、情報記憶ユニットに記憶される映像および音声情報が未圧縮の原始情報であるべき、映像及び音声圧縮／伸張ユニットと、
情報記憶ユニットの情報の読み取りと書き込みを制御する、情報読み取り／書き込み制御ユニットと、
広告の内容を記憶するメモリであり、ユーザーがデジタルカメラで撮った映像（画像）及び音声信号を本ユニットに記憶でき、またはコンピュータに記憶される映像（画像）及び音声とグラフィックの情報を本ユニットにダウンロードでき、また、本装置によって外界入力の映像（画像）及び音声信号を圧縮してから本ユニットに記憶することもできる、情報記憶ユニットと、
本発明のシステムの操作を制御し、当該システム操作は下記の３つのモードに分けられる。
１．映像及び音声放送モード：本発明とテレビとでレコーディングした映像（画像）及び音声とグラフィック文字の広告を放送（挿入放送）し、
２．映像及び音声レコーディングモード：本発明によって所要する映像（画像）及び音声から成る広告の内容をレコーディングし、
３．システム設定モード：予め挿入放送しようとする広告の内容と時間を設定すると共に、所要する挿入放送しようとする広告の画面とグラフィック文字のサイズと位置とその変化の方式とその変化の時間などを設定する、
システム制御ユニットと、
リモートコントローラやキーボード入力装置や手書き入力装置などからなり、ユーザーが当該ユニットによって本発明を作動させることができ、例えば書要するグラフィック文字を入力することと本発明のそれぞれの項の操作機能を制御することなどを実行できる、ユーザーインターフェースと、を少なくとも有する、テレビ広告の内容を制作すると共に、広告をテレビ番組に挿入するための装置及び方法を提供する。
【００１３】
以下に添付図面を参照しながら本発明の好適な実施の形態を詳細に説明する。
【００１４】
【発明の実施の形態】
図１ないし図７に示すように、本発明は、テレビ広告の内容を制作すると共に、広告をテレビ番組に挿入するための装置及び方法を提供し、主に、
映像デコーダー１１１と音声アナログ／デジタルコンバータ１１２とを有し、前記映像デコーダー１１１がアナログのＣＶＢＳまたはＹＣ信号をデジタルの映像信号例えばＹＣｂＣｒ信号に転換でき、また、前記音声アナログ／デジタルコンバータ１１２がアナログの音声信号をデジタルの音声信号例えばパルス・コード変調信号に転換する、映像及び音声入力ユニット１１と、
映像及びグラフィックプロセッサー１２０であり、当該映像及びグラフィックプロセッサー１２０は図２に示すように（図２を例とするが、これのみに限定されるものではない）下記の部品を有する映像及びグラフィック処理ユニット１２である。
映像及びグラフィック処理ユニット１２が映像及びグラフィックを処理する過程中に生成する情報を一時記憶する映像／グラフィック処理メモリ３０１と、情報のアクセス時間とアドレスをコントロールするメモリコントローラ１２１と、
前記映像及び音声信号入力ユニット１１と情報記憶ユニット１５の生成する２つの映像を同期させる、映像同期コントローラ１２２と、
赤、青，緑（ＲＧＢ）の三原色の信号フォーマットをＹＣｂＣｒのフォーマットに転換すると共に、順次走査を飛越走査のフォーマットなどに転換し、本機能の数量は実際のニーズに従って増減するようになる、少なくとも１個の映像及びグラフィックフォーマットコンバータ１２３と、
グラフィックを生成する機能を有し、簡単な線条や四角ブロックや円を描く機能またはさらに複雑的なグラフィック制作機能を有し、このグラフィックは多層面構造になることができ、例えば映像と同一の平面に位置し、または映像の背景や前景として映像と並列、積み重ねまたは混合できる、グラフィックプロセッサー１２４と、
映像のサイズを比例に従って縮小または拡大し、本項の機能の個数は実際のニーズに従って増減できる、少なくとも１個の映像縮小／拡大器１２５と、
テレビスクリーンに字幕を導入できる字幕表示器１２６と、
映像を積み重ねられ、例えば親子画面の映像を積み重ね、即ち子画面（画面のサイズを１／Ｎの比例に縮小する、Ｎ＞１）を親画面（画面のサイズの比例が１である）に積み重ね、または映像を混合し、例えば一部の広告の画面を取り出し、その信号の振幅を元来のＭ％に設定すると共に、テレビ番組の画面信号の振幅を元来のＮ％に設定し、Ｍ％＋Ｎ％＝１００％、且つ二つの信号をプラスし、即ち混合する、映像及びグラフィック積み重ね／混合器１２７と、
映像（及びグラフィック）信号の出力インターフェースとなり、一般にデータバッファーを有する、映像（及びグラフィック）信号出力器１２８と、
映像及びグラフィック処理ユニット１２とシステム制御ユニット１６との間のインターフェースとなり、相互に情報と制御コマンドを通信する、データポートとコントロールポート１２９と、
映像エンコーダー１３１と音声デジタル／アナログコンバータ１３２を有し、前記映像エンコーダー１３１が主にデジタルの映像信号をアナログ信号に転換し、例えばＹＣｂＣｒをアナログのＣＶＢＳまたはＹＣ信号に転換し、また、前記音声デジタル／アナログコンバータ１３２がデジタルの音声信号をアナログ信号例えばパルス・コード変調信号をアナログの音声信号に転換する、映像及び音声出力ユニット１３と、
情報記憶部品１５１であり、主に映像及び音声とグラフィック文字情報を記憶するものであり、例えばＩＣメモリカード１５２や光ディスク１５３や磁気ディスクなどを採用でき、前記ＩＣメモリカード１５２にはいずれの非揮発性の繰り返して読み取り・書き込み可能なＩＣメモリからなるＩＣメモリカード１５２とシリコンディスク例えばＳｍａｒｔ  Ｍｅｄｉａ（登録商標）  Ｃａｒｄ，Ｃｏｍｐａｃｔ  Ｆｌａｓｈ（登録商標）  Ｃａｒｄ，Ｓｅｃｕｒｅ  Ｄｉｇｉｔａｌ（登録商標）  Ｃａｒｄ，Ｍｕｌｔｉｍｅｄｉａ  Ｃａｒｄ，Ｍｅｍｏｒｙ  Ｓｔｉｃｋ（登録商標）  Ｃａｒｄなどを含み、且つ前記光ディスク１５３にはＣｏｍｐａｃｔ  Ｄｉｓｃ／ＣＤ（登録商標）とデジタル多機能光ディスク（Ｄｉｇｉｔａｌ  Ｖｅｒｓａｔｉｌｅ  Ｄｉｓｃ／ＤＶＤ（登録商標））などを含み、且つ前記磁気ディスクにはハードディスクとソフトディスクなどを含む、情報記憶ユニット１５と、
情報読み取り／書き込みコントローラ１４１であり、当該情報読み取り／書き込みコントローラ１４１が情報記憶ユニット１５内の情報の読み取りまたは書き込みのアドレスと時間と情報のパッケージングフォーマットを制御するものであり、情報記憶ユニット１５がＩＣメモリカード１５２（図６参照）である場合、前記情報読み取り／書き込みコントローラ１４１がＩＣメモリカード読み取り／書き込みコントローラ１４２（図６参照）となり、現有のＩＣメモリカードには多数種の仕様を有し、多種類仕様のＩＣメモリカードを読み取り／書き込み可能にしようとする場合、マルチファンクションのＩＣメモリカード読み取り／書き込みコントローラ１４２を使用でき、もし、情報記憶ユニット１５が光ディスク１５３である場合、前記情報読み取り／書き込み制御ユニット１４が光ディスク読み取り／書き込みコントローラ１４３（図５参照）となり、即ち光ディスクドライバーとなり、例えば、繰り返して読み取り／書き込み可能な光ディスクドライブ（ＣＤ−ＲＷ  Ｄｒｉｖｅ）やデジタル多機能光ディスク読み取り／書き込みドライブ（ＤＶＤ−ＲＷ（登録商標）  Ｄｒｉｖｅ）などとなり、もし情報記憶ユニット１５が磁気ディスクである場合、前記情報読み取り／書き込みコントローラが磁気ディスク読み取り／書き込みコントローラとなり、即ち磁気ディスクドライブ例えばハードディスクとなる、情報読み取り／書き込み制御ユニット１４と、
映像(画像)圧縮／伸張装置１８１と音声圧縮／伸張装置１８２とを含み、前記映像圧縮／伸張装置１８１が映像信号を圧縮または伸張するものであり、その圧縮方式は静画圧縮または動画圧縮または他の方式であり、前記音声圧縮／伸張装置１８２が音声信号を圧縮または伸張するものであり、その圧縮方式はパルス・コード変調方式や他の方式である、映像及び音声圧縮／伸張ユニット１８と、
主にシステムコントローラ１６１と各種の仕事メモリ１６２とを有し、前記メモリ１６２にはキャッシュメモリ１６２１とプログラムメモリ１６２２とデータメモリ１６２３とを含み、前記システムコントローラ１６１がシステム機能のコントローラであり、それが各種の操作モードで前記それぞれの項のユニットの動作を制御でき、前記メモリ１６２が静的ランダムアクセスメモリやフラッシュメモリや他の相同機能且つ繰り返して読み取り／書き込み可能なＩＣメモリまたはマスクロム（Ｍａｓｋ  ＲＯＭ）などのメモリによって形成でき、前記キャッシュメモリ１６２１がシステムコントローラ１６１の仕事時よく使用される操作インストラクションやコードと運算情報を一記憶するためのメモリであり、前記プログラムメモリ１６２２がシステムの要するソフトウェアプログラムを記憶するメモリであり、且つ前記データメモリ１６２３がシステムの要するデータを記憶するメモリであり、字幕表示時の要するグラフィックや文字データもここに記憶できる、システム制御ユニット１６と、
リモートコントローラやキーボードや手書き入力装置や他の入力装置であり、ユーザーが本ユニットを介してシステム制御ユニット１６を指揮でき、例えば、手書き入力装置によって広告の要する背景グラフィックを描くか、字幕表示を要する広告文章を編集するか、それぞれの機能を操作するか、リモートコントローラによって広告の放送時間を制御するなどの機能を有する、ユーザーインターフェース１９と、を備える。
【００１５】
本発明によってテレビ広告の映像及び音声情報を制作する方法について、下記に映像および音声情報をＩＣメモリカードに記憶する場合を例として説明する。目前マーケットにおけるＩＣメモリカードの価格がかなり安価であり、且つもっと安価になる傾向を有し、且つデジタルカメラに添付して販売されるようになっている。一般の３５万画素のＶＧＡ（６４０×４８０）仕様のデジタルカメラが既にかなり安くなると共に、ますます普及している。そのため、デジタルカメラさえあれば映像（画像）を撮影できるようになり、もしデジタルカメラに録音の機能を添付したら音声をレコーディングすることもできるようになる。また、目前普及している３２メガバイトのメモリカードにはほぼ３４枚の（ＶＧＡ：６４０×４８０，ＲＧＢ）の画像を記録でき、即ち（３２Ｍｂｙｔｅ×８ｂｉｔ／Ｂｙｔｅ）／（６４０×４８０×８ｂｉｔ×３）＝３４枚記憶でき、またはほぼ９２秒間のＭｏｔｉｏｎ ＪＰＥＧ(Ｊｏｉｎｔ  Ｐｉｃｔｕｒｅ  ＥｘｐｅｒｔｓＧｒｏｕｐ）によって圧縮される動的画像（３２０×２４０、ＹＣｂＣｒフォーマット、１０倍圧縮することによって計算する）、即ち（３２Ｍｂｙｔｅ×８ｂｉｔ／Ｂｙｔｅ）／（３２０×２４０×８×１．５Ｍｂｉｔ／ｆｒａｍｅ×０．１×３０ｆｒａｍｅ／ｓｅｃ）＝９２ｓｅｃ記憶でき、または２５６秒間のＭＰＥＧ−１(Ｍｏｔｉｏｎ  Ｐｉｃｔｕｒｅ  Ｅｘｐｅｒｔｓ  Ｇｒｏｕｐ）によって圧縮されるイメージを記憶でき、（圧縮後の映像データ容量が１Ｍｂｉｔ／ｓｅｃである場合）即ち、（３２Ｍｂｙｔｅ×８ｂｉｔ／Ｂｙｔｅ）／（１Ｍｂｉｔ／ｓｅｃ）＝２５６ｓｅｃとなる。そのため、一般の広告や宣伝には既に余裕があるようになる。もしもっと長い時間の広告内容を制作しようとする場合、さらに大きい容量のＩＣメモリカードまたは光ディスクまたは磁気ディスクを使用できる。
【００１６】
本発明の情報記憶ユニットとしてＩＣメモリカード１５２（図６と図７参照）を使用でき、映像（画像）及び音声とグラフィック文字の記憶装置とすることができ、前記ＩＣメモリカード１５２の内容は一般のデジタルカメラによって撮影し記憶でき、または本発明の映像及び音声信号入力ユニット１１によって信号を映像及び音声信号圧縮／伸張ユニット１８に伝送して圧縮してから、情報読み取り／書き込み制御ユニット１４によって映像（画像）および音声情報をＩＣメモリカード１５２に書き込んで記憶する。そのため、一般の人々が現有の環境下で容易に且つ安価にテレビ広告の要する映像及び音声情報を制作できると共に、映像（画像）及び音声とグラフィック文字を記憶するフォーマットとしてビットマップ（Ｂｉｔｍａｐ）またはＪＰＥＧなどのよく使用されるフォーマットを採用できる。
【００１７】
また、デジタルカメラまたはデジタルビデオ装置の撮影しえた映像（画像）及び音声信号も予めコンピュータの記憶手段に記憶しておくことができ、それからコンピュータによって映像（画像）及び音声を編集処理し、それから情報記憶ユニット１５のＩＣメモリカード１５２や光ディスク１５３や磁気ディスクにダウンロードして放送に供するようにすることもできる。
【００１８】
本発明の操作には三種類の仕事モードに分けられる。
（１）映像及び音声放送モード
本発明とテレビによって制作した映像音声とグラフィック文字を含む広告を放送（または挿入放送）し、本モードにおいて、ユーザーが即時に所要する広告の画面のサイズや位置などを制御選択できる。
（２）映像及び音声レコーディングモード
本発明によって所要する映像および音声の広告の内容をレコーディングする。
（３）システム設定モード
予め挿入放送しようとする広告の内容と画面のサイズと位置とその変化の方式と始発及び終了の時間と繰り返して放送する回数などを設定でき、ユーザーが本モードの場合で広告のグラフィックを描けると共に、広告の言葉を編集できる。
【００１９】
下記に前記三項の仕事モードによる映像及び音声の放送とレコーディングとシステムの設定などについて説明する。
（１）映像及び音声放送モード
図３に示すのは経済的構成の実施の形態であり、それには映像デコーダー１１１と、映像及びグラフィックプロセッサー１２０と、映像エンコーダー１３１と、情報読み取り／書き込みコントローラ１４１と、情報記憶部品１５１と、システム制御ユニット１６のシステムコントローラ１６１と、キャッシュメモリ１６２１と、プログラムメモリ１６２２と、データメモリ１６２３などのメモリと、ユーザーインターフェース１９と、を含み、本実施の形態において前記情報記憶部品１５１に記憶される広告の情報は未圧縮の映像信号例えばデジタルのＲＧＢ信号またはデジタルの輝度信号及びカラー信号ＹＣｂＣｒであり、ユーザーがユーザーインターフェース１９を介してシステム制御ユニット１６のシステムコントローラ１６１を駆動できると共に、情報読み取り／書き込みコントローラ１４１を制御して情報記憶部品１５１内に記憶される映像情報を読み取り、当該信号がＹＣｂＣｒまたはＲＧＢのデジタル信号１０８であり、且つそれらの信号１０８を映像及びグラフィックプロセッサー１２０に送信し、前記映像及びグラフィックプロセッサー１２０が同時に映像デコーダー１１１よりのデジタル信号１０２を受信し、映像及びグラフィックプロセッサー１２０を介して２種類の映像信号１０２と１０８とを混合し、または積み重ね、且つ混合したまたは積み重ねた信号１１３を映像及び音声信号出力ユニット１３の映像エンコーダー１３１に送信してデジタル信号をアナログ信号１１９に転換し、それから当該アナログ信号１１９をテレビ２１に出力して放送を実行し、当該放送される映像の形式が図１（ａ）、（ｂ）に示すようであり、情報記憶部品１５１における映像とテレビ番組における映像を混合して放送するか、子画面２２と親画面２３とをオーバーラップして放送してもよい。且つユーザーインターフェース１９を介してテレビ番組に広告字幕２４を加入できる。また、図１（ｂ）に示すように、前記子画面２２と親画面２３と広告字幕２４とがすべてグラフィック２５を背景とするテレビ画面に並列でき、前記グラフィック２５がユーザーのニーズに応じてシステム設定モードの場合で自分で制作できる。
【００２０】
図２に示すように、本実施の形態において映像及びグラフィックプロセッサー１２０が飛越走査のＹＣｂＣｒ信号フォーマットによって処理するので、当該映像及びグラフィックプロセッサー１２０が受け取った情報読み取り／書き込みコントローラ１４１よりの信号１０８が順次走査のＲＧＢ映像フォーマット信号である場合、当該映像及びグラフィックプロセッサー１２０がその内部の映像及びグラフィックフォーマットコンバータ１２３によって信号を飛越走査のＹＣｂＣｒ信号に転換する。
【００２１】
映像及びグラフィックプロセッサー１２０が同時に映像デコーダー１１１からのＹＣｂＣｒ信号１０２と情報読み取り／書き込みコントローラ１４１からのＹＣｂＣｒ（またはＲＧＢ）信号１０８を受け取る場合、前記映像及びグラフィックプロセッサー１２０が映像デコーダー１１１または情報読み取り／書き込みコントローラ１４１の中のいずれか１つの信号、例えば情報読み取り／書き込みコントローラ１４１の映像信号を映像フォーマットコンバータ１２３によって転換してから、子画面とする共に、映像縮小／拡大器１２５によってそれを１／２，１／４または１／Ｎの子画面信号１３０ｂになるように縮小し、当該縮小される子画面信号１３０ｂが映像デコーダー１１１からの親画面映像信号１３０ａ（当該信号を処理せず、直接的に映像フォーマットコンバータ１２３と映像縮小／拡大器１２５を通過する）とグラフィックプロセッサー１２４の生成するグラフィック画面信号１３０ｃとが映像及びグラフィック積み重ね／混合器１２７に送信され、当該映像及びグラフィック積み重ね／混合器１２７によって積み重ねまたは混合され、当該積み重ねまたは混合される後の合成信号に対し字幕表示器１２６によって字幕を加入でき、それによってテレビ番組と広告の内容の合成信号１３０を生成し、当該合成信号１３０を映像（グラフィック）信号出力器１２８によって処理してから図３における映像エンコーダー１３１の出力信号１１３となる。
【００２２】
図３と図１（ａ）、（ｂ）に示すように、前記親画面２３の信号がテレビ番組からの映像信号１０１を使用し、且つ前記子画面２２が前記情報記憶部品１５１内に記憶されるユーザーが自分で制作した映像を使用し、前記子画面２２と前記親画面２３とが相互に切り換えられ、切り替えの時間がシステムコントローラ１６１によって制御でき、定時制のものやランダムのものを採用でき、子画面２２の位置もシステムコントローラ１６１によって変更でき、例えば右上コーナーに位置させるか左下コーナーに位置させることができ、子画面２２の表示方式が各種の、例えばファンイン、ファンアウトまたは半透明の混合状態を採用できる。
【００２３】
図３に示すように、前記映像エンコーダー１３１内にデジタル映像／アナログ映像コンバータを含み、デジタルのＹＣｂＣｒ信号１１３をアナログの複合映像ベースバンド信号またはＳ−ビデオのＹＣ信号１１９に転換でき、それからテレビの映像入力端点２０（図１（ａ）参照）に送信し、それによって映像をテレビ２１で放送できる。前記システム制御ユニット１６のシステムコントローラ１６１は主にそれぞれのユニットの映像音声グラフィック文字信号の処理を制御し、映像及び音声放送モードでユーザーがユーザーインターフェース１９のリモートコントロール設備によって広告を挿入放送や中断でき、且つ広告の画面のサイズまたはその位置を変更でき、且つ字幕を表示または隠すことができ、または親子画面（図１（ａ）、（ｂ）参照）を切り換えることができる。
【００２４】
（２）映像及び音声レコーディングモード
図４に示すのは本発明の全機能の実施の形態であり、図４は図３に映像及び音声信号圧縮／伸張ユニット１８の映像圧縮／伸張装置１８１と音声伸張装置１８２を加入する説明図であり、それらによって映像と音声情報を圧縮できるようにし、映像及び音声をレコーディングする際に情報記憶部品１５１の要する記憶容量を減少できるようにする。この構成の場合では、アナログの映像信号１０１と音声信号２１１とをデジタル化してから圧縮した後に情報記憶部品１５１にレコーディングする。
【００２５】
前記アナログ映像信号１０１と音声信号２１１がテレビ番組の映像及び音声出力信号よりまたは他の映像及び音声放送手段（例えばＤＶＤ録画／再生装置）などより取得するものである。前記映像デコーダー１１１と音声アナログ／デジタルコンバータ１１２が前記アナログの映像信号１０１と音声信号２１１とをそれぞれデジタルの映像信号１０２と音声信号２１２に転換でき、前記デジタル映像信号１０２と音声信号２１２がそれぞれ圧縮器１８１と音声圧縮器１８２によって信号を圧縮でき、圧縮完成後に映像信号１０２と音声信号２１２が情報読み取り／書き込みコントローラ１４１によって情報記憶部品１５１における情報記憶アドレスとその記憶フォーマットを制御できる。映像圧縮／伸張の方式としてＪＰＥＧ，ＭＰＥＧまたは他の方式を採用でき、また、前記音声圧縮／伸張の方式としてＡＤＰＣＭ，ＭＰＥＧまたは他の方式を採用できる。情報記憶部品１５１の容量が充分に大きくなる場合、デジタルの映像信号１０２と音声信号２１２が映像圧縮器１８１と音声圧縮器１８２を経由させなく、直接的に情報読み取り／書き込みコントローラ１４１によって情報記憶部品１５１に記憶できる。放送時、圧縮される映像信号１０７と音声信号２１３が逆方向の経由方式によって映像伸張器１８１と音声伸張器１８２によって圧縮解除を実行する。他の放送過程は前記第（１）項の映像及び音声放送モードの過程と相同であるので重複する説明を省略する。
【００２６】
図３に示すのは経済的な構成の実施の形態であり、前記デジタルの映像信号１０２（未圧縮）が情報読み取り／書き込みコントローラ１４１を介して情報記憶部品１５１内に記憶できるので、映像をレコーディングできる。
【００２７】
（３）システム設定モード
図３と図４に示すように、システム設定モードの場合では、ユーザーがユーザーインターフェース１９の手段例えばキーボードなどによってデータメモリ１６２３に記憶されるグラフィック文字の内容とプログラムメモリ１６２２に記憶される操作コマンドを入力及び選択でき、またはグラフィックや文字の内容と操作コマンドを一々にスクリーンに表示し、且つ上下左右キーによってそれぞれのメニューにおいて選択を実行する。前記ユーザーインターフェース１９としては手書き入力装置であってもよく、ユーザーが手書きの方式によってコマンドを操作することができると共に、グラフィックや文字の内容を入力することもできる。そのため、システム設定モードにおいて、下記の仕事を完成できる。
１．図３と図４のユーザーインターフェース１９と図２における映像及びグラフィックプロセッサー１２０内のグラフィックプロセッサー１２４によって図形を描き、例えば図１（ｂ）に示す背景図形２５を描くと共に、それを図３と図４に示すデータメモリ１６２３または情報記憶部品１５１内に記憶できる。
２．データメモリ１６２３内に記憶される文字によって字幕表示に要する広告話を編集すると共に、情報をデータメモリ１６２３または情報記憶部品１５１内に記憶できる。
３．予め要する広告放送時間の始発及び終了のタイミングと繰り返して放送する回数を決定できる。
４．予め挿入放送しようとする広告の子画面のソースと画面のサイズと位置と表示の方式と時間とを設定できる。
５．予め挿入放送しようとする広告のグラフィックや文字の内容を選択すると共に、画面のサイズや位置や表示時間や方式例えば点滅や連続的走行などを設定できる。
６．プログラムメモリ１６２２に記憶されるシステム仕事インストラクションと情報記憶ユニット内に記憶される情報をダウンロードまたはアップデートできる。
【００２８】
また、図２ないし図４に示すように、本発明のそれぞれの項のハードウェアユニットとそれぞれの項のソフトウェアプログラムがすべて既存の技術によって使用できるのでその動作原理を重複して説明しないようにする。
【００２９】
図１（ａ）に示すように、ＩＣの設計技術とＩＣの製造プロセスの技術の進歩に従って本発明の映像及び音声入力ユニット１１と映像及びグラフィック処理ユニット１２と映像及び音声出力ユニット１３と映像及び音声圧縮／伸張ユニット１８と情報読み取り／書き込み制御ユニット１４とシステム制御ユニット１６がすべて経済的利益と実用的な仕様を依拠とする場合で、ＩＣ技術によって製造でき（例えば１個または２個のＩＣを製造）、そのため、本発明のコストが安価にすることができると共に、価格も大衆化のニーズに応じることができる。
【００３０】
本発明は１個の単体にすることができるが、他の装置に内蔵するようにしてもよい。本発明の図１（ａ）におけるそれぞれの項の機能ユニットが本明細書において挙げられる組立方式や他の装置例えばデジタルテレビやデジタルセットトップボックス（Ｄｉｇｉｔａｌ  Ｓｅｔ−Ｔｏｐ  Ｂｏｘ）やデジタルカメラやＤＶＤなどの機能と相互に整合することができ、またはその付加機能となり、最も好適化の経済的利益を取得できる。図５に示すのは本発明とＤＶＤ録画／再生装置と一体になるように整合する場合を示す説明図であり、そのうち、映像及びグラフィックプロセッサー１２０の機能ブロックのほか、他の部分がすべて一般のＤＶＤ録画／再生装置の既存の機能であり、本発明とＤＶＤ録画／再生装置と結合する場合では、単に少数のコストで広告をレコーディング及び放送の効果を達成できる。また、図６に示すのは本発明とデジタルカメラとを一体になるように整合する場合の構成の実施の形態であり、そのうち、映像デコーダー１１１と映像及びグラフィックプロセッサー１２０の機能ブロックのほか（もっと複雑的なシステムコントローラとユーザーインターフェースを要する）他の部分はすべて一般のデジタルカメラの既存の機能である。また、図７に示すのは本発明とデジタルテレビとを一体になるように整合する場合の構成の説明図であり、本実施の形態において映像及びグラフィック処理ユニット１２内のグラフィックプロセッサー１２４の機能を有しないものである。図７に示すハードウェア機能構成と一般の親子画面を有するデジタルテレビの機能構成と類似しており、図７において映像デコーダー１１１と音声アナログ／デジタルコンバータ１１２とが現有のアナログ式の番組の信号をデコーディングするものであり、即ちデジタルテレビの分野で所謂遺留信号を生成するものである。そのため、デジタルテレビを使用する場合、単に余分に本発明を導入することによってユーザーに広告文字を加入する機能を実現でき、且つ映像および音声放送するモードとシステム設定モードで要するソフトウェアドライバーの機能を実現でき、且つデジタル映像及び音声情報を記憶できるＩＣメモリカードによって元の番組チャージ管理用のＩＣメモリカードを取り替えられ、テレビに広告とメッセージを挿入放送できる目的を達成できるようになる。前記に説明した通りに、本発明の全部または一部の機能ユニットの手段を導入する時、その映像及び音声の処理と記憶の過程とが本発明と類似または相同する場合、且つテレビに広告やメッセージを挿入放送できる場合の技術がすべて本発明の請求の範囲の要旨に該当し、本発明の主張権利内に納入されるべきである。
【００３１】
【発明の効果】
本発明は、テレビ広告の内容を制作すると共に、広告をテレビ番組に挿入するための装置及び方法を提供し、他の従来技術と相互に比較する場合、さらに下記のような優れる点を有する。
１．本発明はＩＣメモリカードや光ディスクや磁気ディスクなどによって映像（画像）及び音声とグラフィック文字（即ち広告の内容）の映像及び音声の記憶部品を形成し、ユーザーが一般のデジタルカメラによって撮った映像（画像）及び音声を前記情報記憶部品に記憶できると共に、コンピュータに記憶される映像（画像）及び音声とグラフィック文字の信号を情報記憶部品にダウンロードでき、また、外界の入力される映像（画像）及び音声信号を圧縮してから情報記憶部品に記憶でき、且つ情報記憶部品内に記憶される映像（画像）を取り出すこともでき、また、テレビの番組と積み重ねまたは混合でき、且つ字幕を加入して放送することもできるので、広告宣伝の効果を達成できる。
２．本発明は私人と個体の区域性の分野と有限の群衆の分野の場合で広告とメッセージを放送伝達することができる。
３．ユーザーが気軽に自分でテレビ広告の内容を制作できる。
４．ユーザーが随時に且つ気軽にテレビ広告の内容を変更できる。
５．本発明を使用する場合、テレビを介して観客を吸引できると共に、同時に広告を放送することによって広告のメッセージを伝播する目的を図れる。
６．本発明を使用する場合テレビ番組を中断しないまま、テレビ広告を挿入放送できる。
７．本発明を使用する場合、テレビ広告放送業者の広告時間帯に制限されることはなく、ユーザーが任意のタイミングで自分のテレビで自分の広告を放送できる。
８．本発明を利用して広告を挿入放送する場合、広告放送業者の協力を要しないので、広告放送業者に高価な費用を支払う必要はない。
９．本発明のコストが安価であり、自分で広告を制作しても大した費用を要しない。
【００３２】
前記に詳細に説明した具体的な構成は単に本発明のある好適な実施の形態に過ぎなく、当該実施の形態によって本発明の主張範囲を狭義的に定義するものではなく、本発明の特許請求の範囲の要旨より逸脱しない場合、すべて本発明の主張範囲内に納入されるべきことが言うまでもないことである。
【００３３】
前記に説明した通りに、本発明は技術思想が確かに新発明を有すると共に、従来の物品より前記の複数項の機能を増進でき、すでに新規性と進歩性の特許の要件を満たす。
【図面の簡単な説明】
【図１（ａ）】本発明のテレビ広告の内容を制作すると共に、広告をテレビ番組に挿入するための装置及び方法の主要的な構成を示す説明図である。
【図１（ｂ）】本発明の２つの縮小される映像（画像）同一の平面に位置を並列すると共に、背景としてグラフィックを積み重ねる場合を示す説明図である。
【図２】本発明のテレビ広告の内容を制作すると共に、広告をテレビ番組に挿入するための装置及び方法の映像及びグラフィック処理ユニットの構成を示す説明図である。
【図３】本発明のテレビ広告の内容を制作すると共に、広告をテレビ番組に挿入するための装置及び方法の他の構成例を示す説明図である。
【図４】本発明のテレビ広告の内容を制作すると共に、広告をテレビ番組に挿入するための装置及び方法の他の構成例を示す説明図である。
【図５】本発明とＤＶＤ録画／再生装置とを一体になるように整合する場合を示す構成図である。
【図６】本発明とデジタルカメラと一体になるように整合する場合を示す説明図である。
【図７】本発明とデジタルテレビと一体になるように整合する場合を示す説明図である。
【符号の説明】
１１      映像及び音声入力ユニット
１２      映像及びグラフィック処理ユニット
１３      映像及び音声出力ユニット
１４      情報読み取り／書き込み制御ユニット
１５      情報記憶ユニット
１６      システム制御ユニット
１８      映像及び音声圧縮ユニット
１９      ユーザーインターフェース
２０      映像及び音声入力端点
２１      テレビ
２２      子画面
２３      親画面
２４      広告字幕
２５      グラフィック
１０１    信号
１０２    信号
１０７    信号
１０８    信号
１１１    映像デコーダー
１１２    音声アナログ／デジタルコンバータ
１１３    信号
１１９    信号
１２０    映像及びグラフィックプロセッサー
１２１    メモリコントローラ
１２２    映像同期コントローラ
１２３    映像及びグラフィックフォーマットコンバータ
１２４    グラフィックプロセッサー
１２５    映像縮小／拡大器
１２６    字幕表示器
１２７    映像及びグラフィック積み重ね／混合器
１２８    映像（及びグラフィック）信号出力器
１２９    情報ポートとコントロールポート
１３０ａ  信号
１３０ｂ  信号
１３０ｃ  信号
１３０    信号
１３１    映像エンコーダー
１３２    音声デジタル／アナログコンバータ
１４１    情報読み取り／書き込みコントローラ
１４２    ＩＣメモリカード読み取り／書き込みコントローラ
１４３    光ディスク読み取り／書き込みコントローラ
１５１    情報記憶部品
１５２    ＩＣメモリカード
１５３    光ディスク
１６１    システムコントローラ
１６２    メモリ
１８１    映像圧縮／伸張装置
１８２    音声圧縮／伸張装置
２１１    信号
２１２    信号
２１３    信号
１６２１  キャッシュメモリ
１６２２  プログラムメモリ
１６２３  データメモリ
【図１（ａ）】
2004208083.tif 000003
【図１（ｂ）】
2004208083.tif 000004
【図２】
2004208083.tif 000005
【図３】
2004208083.tif 000006
【図４】
2004208083.tif 000007
【図５】
2004208083.tif 000008
【図６】
2004208083.tif 000009
【図７】
2004208083.tif 000010